(57)【要約】【課題】相手接続部の接続態様に応じてハウジングを使い分けする必要がない安価なヒュージブルリンクユニットを提供する。【解決手段】可溶体部２ｂとオスタブ端子２ｃが一体成形されたヒュージブルリンク２と、このヒュージブルリンク２をオスタブ端子２ｃの先端側を外部に剥き出し状態で内部に装着し、且つ、端子剥き出し仕様に対応する相手接続部が接続可能であるハウジング３とを備えたヒュージブルリンクユニット１Ａであって、ハウジング３に、オスタブ端子２ｃの先端側を被い、且つ、コネクタ仕様に対応する相手接続部が接続可能である端子フードアダプタ４を着脱自在に装着した。【選択図】      図１
2004265766.tif 000002
【特許請求の範囲】
【請求項１】
タブ端子を有するヒュージブルリンクと、このヒュージブルリンクを前記タブ端子の先端側を外部に剥き出し状態で内部に装着し、且つ、端子剥き出し仕様に対応する相手接続部が接続可能であるハウジングとを備えたヒュージブルリンクユニットであって、
前記ハウジングに、前記タブ端子の先端側を被い、且つ、コネクタ仕様に対応する相手接続部が接続可能である端子フードアダプタを着脱自在に装着したことを特徴とするヒュージブルリンクユニット。
【請求項２】
請求項１記載のヒュージブルリンクユニットであって、
前記端子フードアダプタは、複数本の前記タブ端子の一部を被うことを特徴とするヒュージブルリンクユニット。
【発明の詳細な説明】
【０００１】
【発明の属する技術分野】
本発明は、ヒュージブルリンクをハウジング内に組み込んだヒュージブルリンクユニットに関する。
【０００２】
【従来の技術】
この種の従来のヒュージブルリンクユニットとして、図６に示すものと図７に示すものとがある。
【０００３】
図６に示すヒュージブルリンクユニット３０は、可溶体部３１ａとタブ端子３１ｂが一体形成されたヒュージブルリンク３１と、このヒュージブルリンク３１を内部に装着するハウジング３２とを備えている。
【０００４】
ハウジング３２は、タブ端子３１ｂの先端側を外部に剥き出し状態で支持し、端子剥き出し仕様に対応する相手接続部（図示せず）が接続可能に形成されている。
【０００５】
これに対し、図７に示すヒュージブルリンクユニット４０は、可溶体部（図示せず）とタブ端子４１ｂが一体形成されたヒュージブルリンク４１と、このヒュージブルリンク４１を内部に装着するハウジング４２とを備えている。
【０００６】
ハウジング４２は、タブ端子４１ｂの先端側をフード部４２ａで被い、コネクタ仕様に対応する相手接続部（図示せず）が接続可能に形成されている。
【０００７】
【特許文献１】
特開平９−１１５４１９号公報
【０００８】
【発明が解決しようとする課題】
従って、前記従来のヒュージブルリンクユニット３０，４０では、相手接続部の接続態様に合わせてハウジング３２，４２を選択する必要があった。そのため、ハウジング３２，４２の態様を間違えないように相手接続部の接続態様に応じて使い分けする必要であり、組み付け作業が煩雑であるという問題があった。また、ハウジング３２，４２が２態様であるため、その分コスト高であるという問題があった。
【０００９】
そこで、本発明は、前記した課題を解決すべくなされたものであり、相手接続部の接続態様に応じてハウジングを使い分けする必要がない安価なヒュージブルリンクユニットを提供することを目的とする。
【００１０】
【課題を解決するための手段】
請求項１の発明は、タブ端子を有するヒュージブルリンクと、このヒュージブルリンクを前記タブ端子の先端側を外部に剥き出し状態で内部に装着し、且つ、端子剥き出し仕様に対応する相手接続部が接続可能であるハウジングとを備えたヒュージブルリンクユニットであって、前記ハウジングに、前記タブ端子の先端側を被い、且つ、コネクタ仕様に対応する相手接続部が接続可能である端子フードアダプタを着脱自在に装着したことを特徴とする。
【００１１】
このヒュージブルリンクユニットでは、相手接続部が端子剥き出し仕様に対応するものであれば、ハウジングに端子フードアダプタを装着することなく直に相手接続部を装着し、また、相手接続部がコネクタ仕様に対応するものであれば、ハウジングに端子フードアダプタを装着し、端子フードアダプタを介して相手接続部を装着する。
【００１２】
請求項２の発明は、請求項１記載のヒュージブルリンクユニットであって、前記端子フードアダプタは複数本の前記タブ端子の一部を被うことを特徴とする。
【００１３】
このヒュージブルリンクユニットでは、請求項１の発明の作用に加え、端子剥き出し仕様に対応する相手接続部とコネクタ仕様に対応する相手接続部とにタブ端子の接続相手を分散できる。
【００１４】
【発明の実施の形態】
以下、本発明の実施形態を図面に基づいて説明する。
【００１５】
図１〜図４は本発明の第１実施形態を示し、図１はヒュージブルリンクユニットと端子フードアダプタの装着前の断面図、図２は端子フードアダプタの斜視図、図３は端子剥き出し仕様に対応する相手接続部との装着状態を示す断面図、図４はコネクタ仕様に対応する相手接続部との装着状態を示す断面図である。
【００１６】
図１に示すように、ヒュージブルリンクユニット１Ａは、ヒュージブルリンク２と、このヒュージブルリンク２を内部に組み込む合成樹脂製のハウジング３とを備えている。
【００１７】
ヒュージブルリンク２は、連結プレート部２ａと、この連結プレート部２ａに各可溶体部２ｂを介して連結された複数のオスタブ端子（タブ端子）２ｃと、連結プレート部２ａの端部に可溶体部を介さずに接続された端子部２ｄと、連結部２ａに可溶体部（図示せず）を介して接続された端子部２ｅとを有し、導電性を有する平面プレート材のプレス加工により形成されるようになっている。
【００１８】
ハウジング３は、ヒュージブルリンク２をそのオスタブ端子２ｃの先端側を外部に剥き出し状態で支持している。つまり、ハウジング３は、端子剥き出し仕様に設定され、端子剥き出し仕様に対応する相手接続部（例えば、図３に示すリレーボックス）１０が接続可能に形成されている。また、ハウジング３には図示しない係止溝（係止部）が形成されており、この係止溝を利用して端子フードアダプタ４が装着自在に設けられている。
【００１９】
図１、図２に示すように、端子フードアダプタ４は、前後面が開口された長方形状のフード部４ａと、このフード部４ａの後面側から突設されたフック部（係止部４ｂ）とから構成されている。そして、端子フードアダプタ４は、そのフック部４ｂをハウジング３の係止溝に係止することによって該ハウジング３に着脱自在に装着されるようになっている。端子フードアダプタ４は、装着状態では全てのオスタブ端子２ｃの先端側を被い、その前面側よりコネクタ仕様の相手接続部（例えば、図４に示すコネクタ）１１が接続可能に設けられている。
【００２０】
次に、上記構成のヒュージブルリンクユニット１Ａに相手接続部１０，１１を接続する作業を説明する。
【００２１】
相手接続部１０が端子剥き出し仕様に対応するもの（例えばリレーボックス）であれば、図３に示すように、ハウジング３に端子フードアダプタ４を装着することなく直に相手接続部１０を装着する。
【００２２】
相手接続部１１がコネクタ仕様に対応するもの（例えばコネクタ）であれば、図４に示すように、ハウジング３に端子フードアダプタ４を装着し、端子フードアダプタ４を介して相手接続部１１を装着する。従って、ハウジング３としては端子剥き出し仕様の１態様のみで対応することができる。このため、相手接続部１０，１１の接続態様に応じてハウジング３を使い分けする必要がなく、安価である。また、車両の小型化に伴うスペース縮小に対応可能である。
【００２３】
図５は本発明の第２実施形態を示し、端子剥き出し仕様に対応する相手接続部とコネクタ仕様に対応する相手接続部との両方を共にヒュージブルリンクユニットのハウジングに装着した状態を示す平面図である。
【００２４】
図５に示すように、ヒュージブルリンクユニット１Ｂは、前記第１実施形態と同様に、連結プレート部２０ａと可溶体部２０ｂ及びオスタブ端子部２０ｃを有するヒュージブルリンク２０と、これを組み込んだ合成樹脂製のハウジング２１とを備えている。
【００２５】
ハウジング２１には、前記第１実施形態と同様に、端子フードアダプタ２２が装着自在に設けられているが、端子フードアダプタ２２は複数のオスタブ端子２０ｃの全部ではなく一部のみを被うように形成されている。
【００２６】
そして、ハウジング２１に端子フードアダプタ２２が装着された箇所には、端子フードアダプタ２２を介してコネクタ仕様に対応する相手接続部（例えばコネクタ）２３が装着され、ハウジング２１に端子フードアダプタ２２が装着されていない箇所には、端子剥き出し仕様に対応する相手接続部（例えばリレーボックス）２４が直に装着されるようになっている。
【００２７】
以上より、ハウジング２１に対して端子剥き出し仕様に対応する相手接続部２４とコネクタ仕様に対応する相手接続部２３とに共に装着することができ、オスタブ端子２０ｃの接続相手を分散することができる。従って、ヒュージブルリンクユニット１Ｂからの放熱を複数の相手接続部２３，２４に分散することができる。また、各相手接続部２３，２４との接続バリエーションを増やすことができる。
【００２８】
尚、前記第２実施形態では、ハウジング２１に単一の端子フードアダプタ２２のみを着脱自在に装着するようにしたが、２つ以上の端子フードアダプタを着脱自在に装着するようにしても良い。
【００２９】
【発明の効果】
以上説明したように、請求項１の発明によれば、ハウジングにタブ端子の先端側を被う端子フードアダプタを着脱自在に装着したので、相手接続部が端子剥き出し仕様に対応するものであれば、ハウジングに端子フードアダプタを装着することなく直に相手接続部を装着し、また、相手接続部がコネクタ仕様に対応するものであれば、ハウジングに端子フードアダプタを装着し、端子フードアダプタを介して相手接続部を装着することができる。従って、ハウジングとしては端子剥き出し仕様の１態様のみで対応することができ、相手接続部の接続態様に応じてハウジングを使い分けする必要がなく、安価である。また、車両の小型化に伴うスペース縮小に対応可能である。
【００３０】
請求項２の発明によれば、端子フードアダプタにより複数本のタブ端子の一部のみを被うようにしたので、端子剥き出し仕様に対応する相手接続部とコネクタ仕様に対応する相手接続部とにタブ端子の接続相手を分散することができる。従って、ヒュージブルリンクユニットからの放熱を複数の相手接続部に分散することができる。また、相手接続部との接続バリエーションを増やすことができる。
【図面の簡単な説明】
【図１】本発明の第１実施形態を示し、ヒュージブルリンクユニットと端子フードアダプタの装着前の断面図である。
【図２】本発明の第１実施形態を示し、端子フードアダプタの斜視図である。
【図３】本発明の第１実施形態を示し、端子剥き出し仕様に対応する相手接続部との装着状態を示す断面図である。
【図４】本発明の第１実施形態を示し、コネクタ仕様に対応する相手接続部との装着状態を示す断面図である。
【図５】本発明の第２実施形態を示し、端子剥き出し仕様に対応する相手接続部とコネクタ仕様に対応する相手接続部との両方を共にヒュージブルリンクユニットのハウジングに装着した状態を示す平面図である。
【図６】従来例のヒュージブルリンクユニットの平面図である。
【図７】他の従来例のヒュージブルリンクユニットの断面図である。
【符号の説明】
１Ａ，１Ｂ  ヒュージブルリンクユニット
２，２０  ヒュージブルリンク
２ｂ，２０ｂ  可溶体部
２ｃ，２０ｃ  オスタブ端子（タブ端子）
３，２１  ハウジング
４，２２  端子フードアダプタ
１０，２４  端子剥き出し仕様に対応する相手接続部
１１，２３  コネクタ仕様に対応する相手接続部
【図１】
2004265766.tif 000003
【図２】
2004265766.tif 000004
【図３】
2004265766.tif 000005
【図４】
2004265766.tif 000006
【図５】
2004265766.tif 000007
【図６】
2004265766.tif 000008
【図７】
2004265766.tif 000009